(57)【特許請求の範囲】
【請求項１】
１つの電話機で２つ以上の電話番号を持つサービスを提供する電話機システムであって、
前記電話機は、前記電話機に付与された電話番号の変更時に予め登録された特定の相手に対して少なくとも新しい電話番号を自動的に通知する手段を有し、
前記電話機に、前記２つ以上の電話番号各々に対応して前記特定の相手を登録する２つ以上のリストテーブルを設け、
前記電話機内において前記２つ以上の電話番号各々のリストテーブルを自番号以外の電話番号に対する処理時に参照自在とすることを特徴とする電話機システム。
【請求項２】
第１の電話番号が変更された時に第２の電話番号に対する処理時に前記第１の電話番号側のリストテーブルを参照し、相手先の電話番号が前記リストテーブルの中に載っていれば自動的に前記第１の電話番号の新しい番号の案内を行うことを特徴とする請求項１記載の電話機システム。
【請求項３】
前記電話番号の変更が、少なくとも、前記２つ以上の電話番号を変更した場合、前記電話番号の１つを解除した場合、前記電話番号を追加した場合のいずれかであることを特徴とする請求項１または請求項２記載の電話機システム。
【請求項４】
１つの電話機で２つ以上の電話番号を持つサービスを提供する電話機システムであって、
前記電話機は、前記電話機に付与された電話番号の変更時に予め登録された特定の相手に対して少なくとも新しい電話番号を自動的に通知する手段を有し、
前記電話番号の変更が、少なくとも、前記２つ以上の電話番号を変更した場合、前記電話番号の１つを解除した場合、前記電話番号を追加した場合のいずれかであることを特徴とする電話機システム。
【請求項５】
自機に２つ以上の電話番号を持つサービスを利用する電話機であって、
自機に付与された電話番号の変更時に予め登録された特定の相手に対して少なくとも新しい電話番号を自動的に通知する手段を有し、
前記２つ以上の電話番号各々に対応して前記特定の相手を登録する２つ以上のリストテーブルを設け、
自機内において前記２つ以上の電話番号各々のリストテーブルを自番号以外の電話番号に対する処理時に参照自在とすることを特徴とする電話機。
【請求項６】
第１の電話番号が変更された時に第２の電話番号に対する処理時に前記第１の電話番号側のリストテーブルを参照し、相手先の電話番号が前記リストテーブルの中に載っていれば自動的に前記第１の電話番号の新しい番号の案内を行うことを特徴とする請求項５記載の電話機。
【請求項７】
前記電話番号の変更が、少なくとも、前記２つ以上の電話番号を変更した場合、前記電話番号の１つを解除した場合、前記電話番号を追加した場合のいずれかであることを特徴とする請求項５または請求項６記載の電話機。
【請求項８】
自機に２つ以上の電話番号を持つサービスを利用する電話機であって、
自機に付与された電話番号の変更時に予め登録された特定の相手に対して少なくとも新しい電話番号を自動的に通知する手段を有し、
前記電話番号の変更が、少なくとも、前記２つ以上の電話番号を変更した場合、前記電話番号の１つを解除した場合、前記電話番号を追加した場合のいずれかであることを特徴とする電話機。
【請求項９】
１つの電話機で２つ以上の電話番号を持つサービスを提供する電話機システムに用いる電話番号案内方法であって、
前記電話機が、前記電話機に付与された電話番号の変更時に予め登録された特定の相手に対して少なくとも新しい電話番号を自動的に通知する手段を実行し、
前記電話機に、前記２つ以上の電話番号各々に対応して前記特定の相手を登録する２つ以上のリストテーブルを設け、
前記電話機内において前記２つ以上の電話番号各々のリストテーブルを自番号以外の電話番号に対する処理時に参照自在とすることを特徴とする電話番号案内方法。
【請求項１０】
第１の電話番号が変更された時に第２の電話番号に対する処理時に前記第１の電話番号側のリストテーブルを参照し、相手先の電話番号が前記リストテーブルの中に載っていれば自動的に前記第１の電話番号の新しい番号の案内を行うことを特徴とする請求項９記載の電話番号案内方法。
【請求項１１】
前記電話番号の変更が、少なくとも、前記２つ以上の電話番号を変更した場合、前記電話番号の１つを解除した場合、前記電話番号を追加した場合のいずれかであることを特徴とする請求項９または請求項１０記載の電話番号案内方法。
【請求項１２】
１つの電話機で２つ以上の電話番号を持つサービスを提供する電話機システムに用いる電話番号案内方法であって、
前記電話機が、前記電話機に付与された電話番号の変更時に予め登録された特定の相手に対して少なくとも新しい電話番号を自動的に通知する手段を実行し、
前記電話番号の変更が、少なくとも、前記２つ以上の電話番号を変更した場合、前記電話番号の１つを解除した場合、前記電話番号を追加した場合のいずれかであることを特徴とする電話番号案内方法。
【発明の詳細な説明】
【技術分野】
【０００１】
本発明は電話機システム、電話機及びそれらに用いる電話番号案内方法に関し、特に電話機に付与された電話番号を変更した際の電話番号案内に関する。
【背景技術】
【０００２】
本発明に関連する電話機システムにおいては、電話機に付与された電話番号が変更された場合、サーバ及び交換機を介して旧電話番号にかけてきた全ての電話機に対して新電話番号の案内を行っている。
【０００３】
この新電話番号の案内としては、送信先の電話機が電話番号を変更した際に、今まで使っていた旧電話番号と新しい新電話番号とをサーバに登録することによって、送信元の電話機の利用者がサーバにアクセスし、送信先の電話機の旧電話番号から新電話番号を検索できるようにする方法が提案されている（例えば、特許文献１参照）。
【０００４】
この電話番号の案内方法では、送信元の電話機の情報表示手段に対して、サーバの送信表示手段から新電話番号を送信することで知らせ、また回線交換手段によって直接新電話番号の回線につなげることもできることを特徴としている。
【０００５】
図６は本発明に関連する電話機システムでの電話番号案内の処理を示す図である。本発明に関連する電話機システムでは、電話機４１の電話番号が変わった場合、サーバ３０側に電話機４１の新電話番号と旧電話番号とを対応させた新旧番号対応リスト及び新電話番号案内部を持つ。
【０００６】
この構成において、例えば、電話機４１からサーバ３０に対して、電話機４１の旧電話番号を用いて電話機４１への接続要求があった場合、サーバ３０では、新旧番号対応リストから電話機４１の新電話番号を検索し、新番号案内部から電話機４２に対して、電話機４１の新電話番号を案内している。
【０００７】
また、電話機４１の旧電話番号に電話した相手が、電話機４２の時に限らず、他のどの電話機から電話がかかってきても、上記と同様に、新電話番号を案内している。さらに、電話機システムによっては、新電話番号の案内サービスがされないケースもある。
【特許文献１】特開２００２−１６５０１１号公報
【発明の開示】
【発明が解決しようとする課題】
【０００８】
上記の特許文献１に記載の電話番号の案内方法では、交換機によって新番号案内のサービスをしていなかったり、セキュリティや個人情報保護の観点から、新電話番号の案内がされない場合もある。そのため、送信先の電話機が電話番号を変更した際には、新電話番号を連絡したい全ての相手に対して、自ら新電話番号を連絡しなければならないという煩わしさがある。
【０００９】
そこで、本発明の目的は上記の問題点を解消し、新しい電話番号を連絡したい全ての相手に対して行わなければならないという煩わしさをなくすことができる電話機システム、電話機及びそれらに用いる電話番号案内方法を提供することにある。
【課題を解決するための手段】
【００１０】
本発明による電話機システムは、１つの電話機で２つ以上の電話番号を持つサービスを提供する電話機システムであって、
前記電話機は、前記電話機に付与された電話番号の変更時に予め登録された特定の相手に対して少なくとも新しい電話番号を自動的に通知する手段を備え、
前記電話機に、前記２つ以上の電話番号各々に対応して前記特定の相手を登録する２つ以上のリストテーブルを設け、
前記電話機内において前記２つ以上の電話番号各々のリストテーブルを自番号以外の電話番号に対する処理時に参照自在としている。
【００１１】
本発明による電話機は、自機に２つ以上の電話番号を持つサービスを利用する電話機であって、
自機に付与された電話番号の変更時に予め登録された特定の相手に対して少なくとも新しい電話番号を自動的に通知する手段を備え、
前記２つ以上の電話番号各々に対応して前記特定の相手を登録する２つ以上のリストテーブルを設け、
自機内において前記２つ以上の電話番号各々のリストテーブルを自番号以外の電話番号に対する処理時に参照自在としている。
【００１２】
本発明による電話番号案内方法は、１つの電話機で２つ以上の電話番号を持つサービスを提供する電話機システムに用いる電話番号案内方法であって、
前記電話機が、前記電話機に付与された電話番号の変更時に予め登録された特定の相手に対して少なくとも新しい電話番号を自動的に通知する手段を実行し、
前記電話機に、前記２つ以上の電話番号各々に対応して前記特定の相手を登録する２つ以上のリストテーブルを設け、
前記電話機内において前記２つ以上の電話番号各々のリストテーブルを自番号以外の電話番号に対する処理時に参照自在としている。
【発明の効果】
【００１３】
本発明は、上記のような構成及び動作とすることで、新しい電話番号を連絡したい全ての相手に対して行わなければならないという煩わしさをなくすことができるという効果が得られる。
【発明を実施するための最良の形態】
【００１４】
次に、本発明の実施の形態について図面を参照して説明する。まず、本発明の概要について説明する。本発明による電話機では、自機に２つ以上の電話番号を持つサービス（例えば、マルチナンバサービス、２ｉｎ１サービス等）を契約している場合、電話番号を変更した時、契約番号の１つを解除した時、契約番号を追加した時、つまり自機に付与された電話番号の変更時に、予め登録された特定の相手にだけ新しい電話番号及び別契約番号を自動的に通知することを特徴としている。
【００１５】
例えば、１つの電話機が２つの電話番号＃１，＃２を持ち、そのうち電話番号＃１を変更した場合について考える。電話番号＃１，＃２では、各々に自動電話番号案内する相手のリストテーブル（電話帳等）を持つ。
【００１６】
また、電話機内においては、電話番号＃１，＃２のリストテーブルを互いに参照できるようにしておく。但し、ユーザが参照することはできない。この時、交換機（サーバ）では、旧電話番号＃１にかかってきた電話を電話番号＃２に接続させる。
【００１７】
電話番号＃２に接続された状態では、電話番号＃１側のリストテーブルを参照し、相手先の電話番号がリストの中に載っていれば、自動的に電話番号＃１の新番号の案内を行う。
【００１８】
このように、本発明では、１つの電話機にて２つ以上の契約番号を持つことが可能な電話機システムにおいて、電話機内の自動案内リストに登録されている特定の相手にのみ、自動的に新契約番号を案内することで、電話番号を変えた旨の連絡を、新番号を連絡したい全ての相手に対して行わなければならないという煩わしさをなくすことができる。
【００１９】
また、本発明では、不特定多数ではなく、特定の相手にのみ、新電話番号を案内することによって、セキュリティ、個人情報保護の観点からも安心できるシステムとすることができる。さらに、本発明では、番号案内リストテーブルをサーバ側ではなく、電話機側に持つことによって、個人情報流出の危険を低減させることができる。
【００２０】
図１は本発明の第１の実施の形態による電話機システムの構成例を示すブロック図である。図１において、本発明の第１の実施の形態による電話機システムは、電話機１，２，・・・と、サーバ００，０１，・・・とから構成されている。
【００２１】
本発明の第１の実施の形態による電話機システムでは、少なくとも２台以上の電話機１，２，・・・が、有線や無線等を介して少なくとも１台以上のサーバ００，０１，・・・に接続されており、電話機１，２，・・・各々が２つ以上の契約番号を持つことができるようになっている。以下、電話機１とサーバ００とについて述べるが、電話機２，・・・及びサーバ０１，・・・も、それぞれ電話機１、サーバ００と同様の構成及び動作となっているので、それらの説明については省略する。
【００２２】
電話機１は、複数（ｎ個：ｎは正の整数）の契約番号を持ち、自機内にそれぞれの契約番号に対応して、独立した契約番号エリア１１〜１ｎを持つ。契約番号エリア１１は、契約番号１１１と、新契約番号１１２と、相手先番号認識部１１３と、リスト参照部１１４と、番号比較部１１５と、自動案内リスト１１６と、新番号案内部１１７とを備えている。契約番号エリア１２は、契約番号１２１と、相手先番号認識部１２３と、リスト参照部１２４と、番号比較部１２５と、自動案内リスト１２６と、新番号案内部１２７とを備えている。契約番号エリア１ｎも上記と同様の構成を備えている。
【００２３】
契約番号エリア１１内には、契約番号１１１の他、電話がかかってきた際に相手番号を認識する相手先番号認識部１１３を持つ。また、自動案内リスト１１６には、電話番号を自動的に案内してもよい相手のリスト（電話帳等）を持つ。リスト参照部１１４は、自他の契約番号エリアの自動案内リストを参照する機能を持ち、番号比較部１１５では、相手先番号認識部１１３で認識した番号とリスト参照部１１４が参照してきた番号とを比較して同じものがあるか否かの判定をする。新番号案内部１１７では、新しい契約番号を案内する。
【００２４】
また、サーバ側（ここでは、サーバ００）では、図示していないが、それぞれの電話機１，２，・・・が持つ契約番号リスト等をもつ。
【００２５】
図２は本発明の第１の実施の形態による電話機システムにて新契約番号が自動的に案内される場合の動作を示す図であり、図３は本発明の第１の実施の形態による電話機システムにて新契約番号が案内されない場合の動作を示す図である。これら図２及び図３を参照して本発明の第１の実施の形態による電話機システムの動作について説明する。
【００２６】
電話機１の契約番号エリア１１の自動案内リスト１１６に、電話機２の契約番号２１２が登録されているものとする。この時、電話機１の契約番号が旧契約番号１１１から新契約番号１１２に変更されると、サーバ００側には、電話機１、旧契約番号１１１、新契約番号１１２、契約番号１２１の対応リストが用意される。この時に、以下のような手順にて新契約番号が案内される。
【００２７】
電話機２が契約番号エリア１１に電話をかけようと、旧契約番号１１１を用いてサーバ００に接続要求すると［図２の（１）］、サーバ００では、対応リストから旧契約番号１１１に対応する契約番号エリア１２の契約番号１２１を検索し、契約番号エリア１２に対して契約番号エリア１１の新契約番号案内要求をかける［図２の（２）］。
【００２８】
この際の接続要求は、通話要求ではなく、契約番号案内要求である。通話要求と電話番号案内要求との区分け方法はどのような方法でも構わない。例えば、契約番号の頭にＰＢ（Ｐｕｓｈ  Ｂｕｔｔｏｎ）信号等で契約番号案内要求用信号を付加するということでもよい。
【００２９】
契約番号エリア１２では、新契約番号案内要求を受けると、まず相手先番号認識部１２３にて電話機２の契約番号２１２を認識する［図２の（３）］。
【００３０】
リスト参照部１２４においては、契約番号エリア１１の自動案内リスト１１６を参照しにいく［図２の（４）］。
【００３１】
番号比較部１２５では、（３）の処理にて認識した番号が、（４）の処理にて参照している番号内にあるかどうかを比較する［図２の（５）］。
【００３２】
新番号案内部１２７では、（５）の処理での番号比較において、電話機２の契約番号２１２が自動案内リスト１１６内に登録されていることを確認すると、サーバ００に対して、新契約番号１１２を電話機２に対して通知しても良い旨を連絡する［図２の（６）］。
【００３３】
サーバ００では、（６）の処理での結果に基づき、新契約番号１１２を電話機２に対して通知する［図２の（７）］。
【００３４】
次に、電話機１の契約番号エリア１１の自動案内リスト１１６に、電話機２の契約番号２１２が登録されていない場合について説明する。
【００３５】
この場合、（５）の処理による番号比較の際に、（３）の処理で認識した相手先番号が自動案内リスト１１６内にはないと判断される。すると、新番号案内部１２７では、（６）の処理にて契約番号エリア１１の新契約番号を案内できない（ＮＧ）の旨をサーバ００に対して通知する。サーバ００では、電話機２に対して電話番号が変更されたことを通知する［図３の（７）］。
【００３６】
このように、本実施の形態では、１つの電話機にて２つ以上の契約番号を持つことができる電話機システムにおいて、自動案内リスト１１６，１２６に登録されている特定の相手にのみ、自動的に新契約番号を案内することで、電話番号を変えた旨の連絡を行う際に、新番号を連絡したい全ての相手に対して行わなければならない煩わしさをなくすことが可能となる。
【００３７】
また、本実施の形態では、不特定多数ではなく、特定の相手にのみ新電話番号を案内することによって、セキュリティ、個人情報保護の観点からも安心できるシステムとすることができる。さらに、本実施の形態では、自動案内リスト１１６，１２６をサーバ００，０１，・・・側ではなく、電話機１，２，・・・側に持つことによって、個人情報流出の危険を低減させている。
【００３８】
図４は本発明の第２の実施の形態による電話機システムによる契約番号を解除する際の動作を示す図である。図４を参照して本発明の第２の実施の形態による電話機システムの動作について説明する。尚、図４においては、電話機１及びサーバ００の構成が図１に示す本発明の第１の実施の形態と同様となっているので、その説明を省略する。
【００３９】
本発明の第２の実施の形態による電話機システムでは、電話機１の複数の契約番号のうちの１つを解除する際、その解除する契約番号しか知らない相手に対して別の契約番号を自動的に案内している。
【００４０】
電話機２では、電話機１の契約番号１１１しか知らない。電話機１側では、電話機２の契約番号が自動案内リスト１１６、自動案内リスト１２６のいずれにも登録されている。
【００４１】
電話機２は、電話機１にサーバ００に対して契約解除された契約番号１１１にて接続要求をかける［図４の（１）］。
【００４２】
サーバ００は、契約解除済みの契約番号１１１から、それに対応する契約番号１２１を検索し、契約番号エリア１２に対して、契約番号１２１の案内要求をする［図４の（２）］。
【００４３】
電話機１では、相手先番号認識部１２３にて相手先番号を認識する［図４の（３）］。リスト参照部１２４は、自動案内リスト１２６内を参照する［図４の（４）］。
【００４４】
番号比較部１２５では、（３）の処理で認識した相手先番号が、（４）の処理で参照している自動案内リスト１２６内にあるか否かを判断する［図４の（５）］。（５）の処理の結果、相手先番号が自動案内リスト１２６内にあると判断されると、新番号案内部１２７では、サーバ００に対して、もう一つの契約番号１２１を案内しても良い旨を通知する［図４の（６）］。
【００４５】
サーバ００では、電話機２に対して、別契約番号である契約番号１２１を通知する［図４の（７）］。
【００４６】
このように、本実施の形態では、電話機１の複数の契約番号のうち１つしか知らない相手（電話機２）に対して、もう一つの別の電話番号を自動的に連絡することが可能となる。
【００４７】
図５は本発明の第３の実施の形態による電話機システムによる契約番号を追加する際の動作を示す図である。図５を参照して本発明の第３の実施の形態による電話機システムの動作について説明する。尚、図５においては、電話機１及びサーバ００の構成が図１に示す本発明の第１の実施の形態と同様となっているので、その説明を省略する。
【００４８】
本発明の第３の実施の形態による電話機システムでは、電話機１にて新たに契約番号を追加した場合に、新しい番号を自動的に案内する。電話機１側は、契約番号１１１しか知らない電話機２に対して新契約番号１２１を伝えたい場合、自動案内リスト１１６内に、契約番号２１２を通知しても良いという情報を持つ。
【００４９】
この際、電話機２から契約番号１１１に電話（通話要求）があった場合、（５）の処理の番号比較の際に、自動案内リスト１１６から新契約番号を通知してもよい旨を判断すると、新番号案内部１１７からサーバ００に対して新契約番号案内ＯＫの旨を通知する［図５の（６）］。
【００５０】
サーバ００では、電話機２に対して新契約番号１２１を通知するとともに、通話を成立させる［図５の（７）］。
【００５１】
このように、本実施の形態では、不特定多数ではなく、特定の相手にのみ追加された新電話番号を案内することによって、セキュリティ、個人情報保護の観点からも安心できるシステムとすることができる。
【図面の簡単な説明】
【００５２】
【図１】本発明の第１の実施の形態による電話機システムの構成例を示すブロック図である。
【図２】本発明の第１の実施の形態による電話機システムにて新契約番号が自動的に案内される場合の動作を示す図である。
【図３】本発明の第１の実施の形態による電話機システムにて新契約番号が案内されない場合の動作を示す図である。
【図４】本発明の第２の実施の形態による電話機システムによる契約番号を解除する際の動作を示す図である。
【図５】本発明の第３の実施の形態による電話機システムによる契約番号を追加する際の動作を示す図である。
【図６】本発明に関連する電話機システムでの電話番号案内の処理を示す図である。
【符号の説明】
【００５３】
００，０１  サーバ
１，２  電話機
１１，１２，１ｎ  契約番号エリア
１１１，１２１  契約番号
１１２  新契約番号
１１３，１２３  相手先番号認識部
１１４，１２４  リスト参照部
１１５，１２５  番号比較部
１１６，１２６  自動案内リスト
１１７，１２７  新番号案内部
【図１】
0004775720.tif 000002
【図２】
0004775720.tif 000003
【図３】
0004775720.tif 000004
【図４】
0004775720.tif 000005
【図５】
0004775720.tif 000006
【図６】
0004775720.tif 000007